(57)【要約】【課題】５．１チャンネル等のサラウンド音声信号を外部スピーカで再生する一方、外部装置を介して再生することができる音声再生装置を提供する。【解決手段】入力信号を受け、ここから主音声信号とサラウンド音声信号とを抽出して出力する抽出部４１と、抽出部からのサラウンド音声信号を直接に外部のスピーカに供給すべく増幅して出力端子２３に出力し、更にサラウンド音声信号を外部機器に供給するべく出力端子２４に出力するオーディオ処理部１５とを有する音声再生装置であり、外部スピーカ３３，３４と外部装置ＷＴとでそれぞれサラウンド音声信号を再生することができる。【選択図】    図４
2004328519.tif 000002
【特許請求の範囲】
【請求項１】
入力音声信号が供給される入力端子と、
前記入力端子に供給された音声信号から主音声信号とサラウンド音声信号とを抽出して出力する抽出部と、
前記抽出部から出力された主音声信号を増幅して第１の出力部に出力し、前記サラウンド音声信号を増幅して外部スピーカ用の第２の出力部に出力し、更に、前記サラウンド音声信号を外部機器用の第３の出力部に出力する信号処理部と、を具備したことを特徴とする音声再生装置。
【請求項２】
前記信号処理部は、前記第２の出力部及び前記第３出力部へ、前記サラウンド音声信号をそれぞれ同時に出力することを特徴とする請求項１記載の音声再生装置。
【請求項３】
前記入力信号は、４チャンネル又は５．１チャンネルの音声信号であることを特徴とする請求項１記載の音声再生装置。
【請求項４】
前記信号処理部は、利得制御信号を受け、これに応じて、前記主音声信号の利得と前記サラウンド音声信号の利得を連動して制御することを特徴とする請求項１記載の音声再生装置。
【請求項５】
前記信号処理部は、制御信号を受け、これに応じて、前記主音声信号の利得と前記サラウンド音声信号の利得のバランスを制御することを特徴とする請求項１記載の音声再生装置。
【請求項６】
前記入力信号は、４チャンネル又は５．１チャンネルの音声信号であり、前記音声再生装置には内蔵スピーカを有し、前記主音声信号が前記前記第１の出力部を介して外部スピーカに供給される時、前記内蔵スピーカには、前記４チャンネル又は５．１チャンネルの音声信号のうち、センターの音声信号を供給するようにしたことを特徴とする請求項１記載の音声再生装置。
【請求項７】
映像信号及び音声信号を含む入力信号が供給される入力端子と、
前記入力端子に供給された入力信号から、音声信号及び映像信号をそれぞれ分離する分離部と、
前記分離部からの映像信号を処理して表示部に表示させる画像処理部と、
前分離された音声信号が入力され、この入力音声信号から主音声信号とサラウンド音声信号とを抽出して出力する抽出部と、
前記抽出部から出力された主音声信号を増幅して第１の出力部に出力し、前記サラウンド音声信号を増幅して外部スピーカ用の第２の出力部に出力し、更に、前記サラウンド音声信号を外部機器用の第３の出力部に出力する信号処理部と、を具備したことを特徴とする映像受信装置。
【請求項８】
前記信号処理部は、前記第２の出力部及び前記第３の出力部へ、前記サラウンド音声信号同時に出力することを特徴とする請求項７記載の映像受信装置。
【請求項９】
前記音声入力信号は、４チャンネル又は５．１チャンネルの音声信号であることを特徴とする請求項７記載の映像受信装置。
【請求項１０】
前記信号処理部は、利得制御信号を受け、これに応じて、前記主音声信号の利得と前記サラウンド音声信号の利得とを連動して制御することを特徴とする請求項７記載の映像受信装置。
【請求項１１】
前記信号処理部は、制御信号を受け、これに応じて、前記主音声信号の利得と前記サラウンド音声信号の利得のバランスを制御することを特徴とする請求項７記載の映像受信装置。
【請求項１２】
前記入力信号は、４チャンネル又は５．１チャンネルの音声信号であり、前記映像受信装置には内蔵スピーカを有し、前記主音声信号が前記前記第１の出力部を介して外部スピーカに供給される時、前記内蔵スピーカには、前記４チャンネル又は５．１チャンネルの音声信号のうち、センターの音声信号を供給するようにしたことを特徴とする請求項７記載の映像受信装置。
【発明の詳細な説明】
【０００１】
【発明の属する技術分野】
この発明は、デジタルテレビ等に内蔵される音声再生装置及びデジタルテレビ等の映像受信装置に関し、特に、サラウンド音声を扱う音声再生装置及び映像受信装置に関する。
【０００２】
【従来の技術】
最近、デジタル信号を扱うＡＶ機器が多岐に亘って開発製造され、普及しつつある。このような技術として、いわゆるサラウンドシステムやドルビーシステム等のように、複数のスピーカユニットを用いて臨場感あふれる音場を手軽に再現することができる技術が知られている。
【０００３】
これに関連した従来技術として、サラウンドシステムを複数のスピーカで構築し、聴取者のリスニングポイントに応じて各スピーカの音声信号のレベルを可変する例がある（例えば、特許文献１参照）。これは聴取者が４つのスピーカの中央から移動しても、聴取者の位置に応じて音声信号レベルを自動調整することで、最適の音場を作り上げる技術である。
【０００４】
【特許文献１】
特開平０５−１２２８００号公報。
【０００５】
【発明が解決しようとする課題】
このようなサラウンドシステムにおいて、例えば、音響装置本体とサラウンド用スピーカをワイヤレスにて結合しようとする場合、ワイヤレストランスミッタを用いて、サラウンド信号を送信することになる。しかしながら上述した従来技術においては、例えば、デジタルテレビのサラウンド出力として、左のサラウンドスピーカ用、及び右のサラウンドスピーカ用の出力がそれぞれ設けられていたとしても、それぞれに、スピーカを直接接続するための端子しか用意されていない場合、これにワイヤレストランスミッタを接続しても、出力がスピーカ用に増幅された信号であるため、出力が大きすぎて安定して動作しないという問題がある。
【０００６】
本発明は、サラウンド用の出力について、外部装置を接続するための出力端子を専用に設けて、サラウンド用の外部装置を設けることができる音声再生装置及びこれを用いた映像受信装置を提供することを目的とする。
【０００７】
【課題を解決するための手段】
本発明は、入力音声信号が供給される入力端子と；前記入力端子に供給された音声信号から主音声信号とサラウンド音声信号とを抽出して出力する抽出部と；前記抽出部から出力された主音声信号を増幅して第１の出力部に出力し、前記サラウンド音声信号を増幅して外部スピーカ用の第２の出力部に出力し、更に、前記サラウンド音声信号を外部機器用の第３の出力部に出力する信号処理部と；を具備したことを特徴とする音声再生装置である。
【０００８】
また、本発明は、映像信号及び音声信号を含む入力信号が供給される入力端子と；前記入力端子に供給された入力信号から、音声信号及び映像信号をそれぞれ分離する分離部と；前記分離部からの映像信号を処理して表示部に表示させる画像処理部と；前分離された音声信号が入力され、この入力音声信号から主音声信号とサラウンド音声信号とを抽出して出力する抽出部と；前記抽出部から出力された主音声信号を増幅して第１の出力部に出力し、前記サラウンド音声信号を増幅して外部スピーカ用の第２の出力部に出力し、更に、前記サラウンド音声信号を外部機器用の第３の出力部に出力する信号処理部と、を具備したことを特徴とする映像受信装置である。
【０００９】
本発明に係る音声再生装置又は映像受信装置は、上記した構造により、例えば、５．１チャンネルのサウンドシステムにおいて、サラウンド用の音声信号を外部スピーカ、及びサラウンド音声専用の外部装置に出力可能な出力部（出力端子）をそれぞれ設けている。従って、サラウンド音声用の外部装置として、例えば、ワイヤレストランスミッタを接続することが可能となる。これにより、専用のサラウンド用スピーカを接続しながら、更に、外部機器を使用したサラウンド音声の再生が同時に可能となる。
【００１０】
【発明の実施の形態】
以下、図面を参照してこの発明の実施形態である音声再生装置及び映像受信装置を詳細に説明する。図１は、本発明の一実施形態である音声再生装置を有する映像受信装置の一例を示すブロック図、図２は、本発明の一実施形態である音声再生装置の全体構成を示すブロック図、図３は、本発明の一実施形態である音声再生装置としてのオーディオ処理部の主要部を示すブロック図、図４は、本発明の一実施形態である音声再生装置を有する映像受信装置の外部スピーカ等との接続を示す説明図、図５は、本発明の一実施形態である音声再生装置としてのオーディオ処理部の他の例の主要部を示すブロック図である。
【００１１】
（音声再生装置と映像受信装置）
本発明の一実施形態に係る音声再生装置は、図１に示すように映像受信装置Ａの内部に設けられ、サラウンド音声を再生するオーディオ処理部１５を主な構成とする。例えば、図１に示す映像受信装置Ａはデジタルテレビ装置であり、デジタルテレビ装置にオーディオ処理部１５が内蔵されている。しかしながら、単体の音声再生装置として設けても良い。
【００１２】
図１において、映像受信装置Ａは、アンテナに接続されるチューナ部１１と、映像信号を処理するための画像処理部１２と、画像処理部で明るさ調整やコントラスト調整等の処理が施された映像信号が供給されるディスプレイ１３を有し、このディスプレイ１３に、例えば、放送番組が表示される。更に、ＤＶＤプレーヤやＶＴＲ等の外部機器からの信号が供給される入力端子２６，２７を有している。これら入力端子２６，２７には例えば光ファイバーを介して光信号による入力がなされ、これらの入力端子２６，２７又はチューナ部１１からの入力信号はそれぞれセレクタ部１４に入力され、いずれか１の入力信号に対応した映像信号及び音声信号を選択的に出力する。セレクタ部１４からの映像信号は前記画像処理部１２に出力され、音声信号はオーディオ処理部１５に出力される。また、映像受信装置Ａの全体の動作を制御するためマイクロプロセッサからなる制御部１６を有している。尚、制御部１６にはリモートコントローラ等を介してユーザの指示が与えられるようになっている。
【００１３】
更に、映像受信装置Ａには、筐体に内臓されたＬ（左），Ｒ（右）用のスピーカ２１を有し、これらスピーカ２１は、オーディオ処理部１５に接続されている。またオーディオ処理部１５には、外部スピーカ出力端子２２と、外部サラウンドスピーカ出力端子２３と、外部サラウンド出力端子２４と、バスレフ用出力端子２５とが設けられている。尚、出力端子２２，２３，２４はＬ，Ｒ用の対の端子で構成されている。
【００１４】
ここで、図１又は図２に示すように、映像受信装置Ａの外部スピーカ出力端子２２には外部スピーカ３１，３２が接続され、外部サラウンドスピーカ出力端子２３には、外部サラウンドスピーカ３３，３４が接続され、外部サラウンド出力端子２４には、一例として、ワイヤレストランスミッタ（Ｗｉｒｅｌｅｓｓ  Ｔｒａｎｓｍｉｔｔｅｒ）ＷＴ（又は単に外部アンプ装置）が接続され、バスレフ用出力端子２５には、バスレフスピーカ３５が接続されることとなる。
【００１５】
このような構成の映像受信装置Ａにおいて、チューナ部１１で選局され復調された放送信号、又は、入力端子２６，２７を介してＤＶＤプレーヤやＶＴＲ等から入力された映像音声信号はセレクタ部１４に与えられ、制御部１６の制御のもとにいずれか１つの映像音声信号が選択され、選択された映像信号は画像処理部１２に供給され、選択された音声信号はオーディオ処理部１５に供給される。
【００１６】
前記画像処理部１２では、制御部１６の制御の元に適宜映像信号が処理され、映像がディスプレイ１３にて再生される。またオーディオ処理部１５においては音声信号が適宜処理されて、内蔵スピーカ２１により音声が再生される。更に、オーディオ処理部１５では、サラウンド信号の再生等が行われ、外部スピーカ出力端子２２、外部サラウンドスピーカ出力端子２３、外部サラウンド出力端子２４、更に、バスレフ用出力端子２５にそれぞれ供給される。
【００１７】
（オーディオ処理部の詳細説明）
次に、本発明の一実施形態である音声再生装置としてのオーディオ処理部１５について説明する。オーディオ処理部１５は、例えばドルビーサラウンドデコーダで構成され、ドルビーデジタルである５．１チャンネル、又はドルビープロロジックの４チャンネルの音声信号を再生する。尚、以下の説明においては、ドルビーデジタル信号又はドルビープロロジック信号のＬチャンネル及びＲチャンネルの信号を主音声信号とし、Ｌチャンネル及びＲチャンネルのサラウンド信号をサラウンド音声信号として説明する。
【００１８】
オーディオ処理部１５の詳細及び利用形態について、図３以降の図面を用いて以下詳細に説明する。
【００１９】
図３は、オーディオ処理部１５の要部の一形態を示しており、セレクタ部１４にて選択された音声信号がオーディオ処理部１５に与えられる。オーディオ処理部１５は、この信号がドルビーデジタルである５．１ｃｈ又はドルビープロロジックである４ｃｈの信号であるとき、サラウンドデコーダ４１により、サラウンド信号ＳＲ，ＳＬが抽出される。サラウンド信号ＳＲ，ＳＬは、バッファ回路４２，４３によりそれぞれ、必要な利得が与えられてオーディオプロセッサ４４に供給されて入力音量調整を行う。更に、この出力信号に再び必要な利得がバッファ回路４５，４６により与えられて、外部サラウンド出力端子２４に供給される。前記バッファ回路４５，４６は、外部機器との接続に適した条件（低インピーダンスと出力振幅の補正）を得るためのものである。
【００２０】
ここで、この外部サラウンド出力端子２４から出力されるサラウンド音声信号は、オーディオプロセッサ４４で音量調整されたバリアブルな出力であり、外部機器を操作せずにＴＶセットのサラウンドレベル調整の操作により、適切な音量レベルに調整することができる。
【００２１】
一方、図４に示すように、サラウンドでコーダ４１により抽出されたサラウンド信号ＳＲ，ＳＬは、オーディオプロセッサ４４を経た後に、制御スイッチ５３を介してアンプ部５１に供給され、外部スピーカ３３，３４（例えば８Ω、１６Ω、３２Ω）を駆動させる利得（例えば、２０ｄＢ〜２６ｄＢ程度）の増幅率で増幅され、外部サラウンドスピーカ出力端子２３に供給される。
【００２２】
これにより、サラウンド音声信号を、外部スピーカ３３，３４で再生することができる。またオーディオプロセッサ４４からのサラウンド音声信号は、アンプ４５（４６）及び制御スイッチ５４を介して外部サラウンド出力端子２４に出力され、ワイヤレストランスミッタＷＴ等を利用してワイヤレススピーカ３６，３７（図２参照）等により再生することが可能となる。
【００２３】
前記制御スイッチ５３，５４は、制御部１６からの制御信号、又はオーディオ処理部１５内の制御部からの制御信号により、そのオン・オフが制御され、外部サラウンドスピーカ出力端子２３の出力と、外部サラウンド出力端子２４の出力の一方を適宜オンしたり、両方をオンするようにしている。尚、図４においては、アンプ５１，４５等はそれぞれ１つづつしか示していないが、実際にはＲ，Ｌチャンネル用の回路で構成されている。
【００２４】
（変形例）
更に、本発明に係る音声再生装置の変形例を図５に示す。図５の例では、主音声信号であるＬ，Ｒ信号と、サラウンド音声信号とがそれぞれ入力利得制御部６１と、利得バランス制御部６２と、トーンコントロール回路６３、更に、外部スピーカを駆動させるための利得を得るべくアンプ部６４とが追加されている。
【００２５】
図５に示すように、制御部の制御に応じて、Ｌ，Ｒ信号とサラウンド信号との各利得を利得制御部６１により連動して制御することができる。すなわち、Ｌ，Ｒ信号を１．２倍に増幅するとサラウンド信号もほぼ１．２倍に増幅されるものである。更に、制御部の制御に応じて、Ｌ，Ｒ信号とサラウンド信号との利得のバランスを利得バランス制御部６２により制御することができる。
【００２６】
又、更に、例えば、ドルビーデジタルの５．１ｃｈ、又はドルビープロロジックの４ｃｈのサウンドシステムにおいては、その信号として（Ｌ，Ｒ，ＳＬ，ＳＲ，ＬＦＥ，Ｃ）等があるが、映像受信装置Ａにおいて、制御部１６の制御により、動作モードを設定することで、内蔵スピーカ２１をセンタースピーカとして使用することができる。即ち、この動作モードにおいては、主音声信号出力を出力端子２２を介して外部スピーカ３１，３２に供給し、内蔵スピーカ２１に対しては、ドルビーデジタルの５．１ｃｈ、又はドルビープロロジックの４ｃｈのセンター出力（Ｃ）を供給するように自動設定して、出力させることができる。
【００２７】
又、図５のトーンコントロール回路６３を、制御部１６からの制御のもとに制御することで、ワイヤレストランスミッタＷＴ等への出力に適したトーンにコントロールすることができる。例えばトーンコントロールにより高音を抑えることで、ノイズを抑制することができる。更に、外部スピーカ用の出力には、機種に応じて独自の値でトーンコントロールすることもできる。
【００２８】
尚、本発明は、以上説明した実施形態に限定されるものではない。
【００２９】
【発明の効果】
以上詳述したように本発明によれば、サラウンド音声出力をスピーカに供給するため、及び外部装置に供給するために、それぞれ専用の出力端子を設けることにより、外部装置を用いてサラウンド音声信号を再生することができる。
【図面の簡単な説明】
【図１】本発明の一実施形態である音声再生装置を有する映像受信装置の一例を示すブロック図。
【図２】本発明の一実施形態である音声再生装置を有する映像受信装置の外部スピーカ等との接続を示す説明図。
【図３】本発明の一実施形態である音声再生装置としてのオーディオ処理部の主要部を示すブロック図。
【図４】本発明の一実施形態である音声再生装置としてのオーディオ処理部の他の一例を示すブロック図。
【図５】本発明の一実施形態である音声再生装置としてのオーディオ処理部のさらに他の主要部を示すブロック図。
【符号の説明】Ａ…映像受信装置、１１…チューナ、１２…画像処理部、１３…ディスプレイ、１４…セレクタ部、１５…オーディオ処理部、１６…制御部、２１…内蔵スピーカ、２２…外部スピーカ出力端子、２３…外部サラウンドスピーカ出力端子、２４…外部サラウンド出力端子、２５…バスレフ用出力端子、２６…光入力端子、２７…入力端子。
【図１】
2004328519.tif 000003
【図２】
2004328519.tif 000004
【図３】
2004328519.tif 000005
【図４】
2004328519.tif 000006
【図５】
2004328519.tif 000007